(57)【要約】【課題】従来技術によるタイプのもので、従来技術にあるような主要な欠点がない接続および切断構成を提案する。【解決手段】本発明は、流体移送システムの２つのパイプ部分を接続および切断する構成に関する。この構成において、各部分（２、３）は、流体フローの断面を閉じる位置と、流体フローの断面を開く位置との間で、旋回軸の周りで旋回可能なように部分内に取り付けられたディスク（５、６）が設けられたちょう形弁として構成され、旋回軸は、パイプ軸に対して垂直方向に互いに平行に延在する。この構成は、ディスク（５、６）の旋回軸（３６）が、部分（２、３）の軸に対して偏心して配設されることにより、部分（２、３）の接続時、閉位置にあるディスク（５、６）間で画定される空間を低減する。本発明は、液化天然ガスを移送するために有益である。【選択図】図５
2009074697.tif 000002
【特許請求の範囲】
【請求項１】
流体移送システムの２つのパイプ部分の各々が、パイプラインの端部要素を構成し、流体フローの円形断面を閉じる位置と、前記流体フローの円形断面を開く位置との間で、前記パイプ部分内でピボット軸の周りを旋回するように取り付けられた２つの円形ディスクがちょう形弁の形態で構成され、パイプの軸に垂直方向に互いに平行に延在し、前記パイプ部分（２、３）が接続状態にあるとき、閉位置にある前記両円形ディスク（５、６）間の空間がゼロとなる、前記２つのパイプ部分の接続および切断構成であって、
閉位置にある前記両円形ディスク（５、６）間の空間をゼロとなるように、各円形ディスク（５、６）の各ピボット軸（Ｘ、Ｘ’、３６）が、パイプ部分（２、３）の軸（Ｙ−Ｙ）に対して中心からずれた位置に軸支されてることを特徴とする、
構成。
【請求項２】
前記２つのディスク（５、６）間の空間が、閉位置にあるとき、ゼロであることを特徴とする、請求項１に記載の構成。
【請求項３】
前記２つの円形ディスク（５、６）が、開位置にあるとき、前記２つの円形ディスク（５、６）が、互いに接触するように軸支されることにより、運動学的な遊びを防止し、流体フローの不安定性により誘発される可能性がある前記ディスク（５、６）の振動や揺れを防止することを特徴とする、請求項２に記載の構成。
【請求項４】
前記円形ディスク（５、６）のピボット軸（３６）が、前記円形ディスクが旋回可能に取り付けられる前記パイプ部分（２、３）の流体フロー断面の外側に配設されることを特徴とする、請求項１から３のいずれか一項に記載の構成。
【請求項５】
前記円形ディスク（５、６）の周囲にタブ（３４）が取り付けられ、前記ピボット軸（３６）が、前記タブ（３４）の自由端に配設されることを特徴とする、請求項４に記載の構成。
【請求項６】
旋回できるように、前記円形ディスク（５、６）に、関節式アーム（４１、４３）を有するデバイスが関連付けられ、前記アームの一方（４１）の自由端は、円形ディスクに対して関節式に連結されるのに対して、他方のアーム（４３）の自由端は、前記パイプ部分の壁に対して（４４）で関節式に連結されることを特徴とする、請求項１または５に記載の構成。
【請求項７】
前記パイプ部分（２、３）が、フラップの開位置において前記関節式アーム（４１、４３）を収容するための横方向の隆起部（４７）を有することを特徴とする、請求項６に記載の構成。
【請求項８】
前記関節式アーム（４１、４３）が、前記円形ディスク（５、６）が閉位置にあるとき、支持位置にあることを特徴とする、請求項６または７に記載の構成。
【発明の詳細な説明】
【技術分野】
【０００１】
本発明は、流体移送システムの２つのパイプ部分を接続および切断するモジュールの構成に関し、２つのパイプ部分の各々は、パイプラインの端部要素を構成し、流体フローの断面を閉じる位置と、流体フロー断面を開く位置との間で、パイプ部分内でピボット軸の周りを旋回するように取り付けられたディスクと、旋回を制御するための外部デバイスとが設けられたちょう形弁の形で構成され、ピボット軸は、パイプの軸に垂直方向に互いに平行に延在する。
【背景技術】
【０００２】
このタイプの接続モジュールの構成はすでに公知となっており、この接続モジュールの構成により、２つのステーション間で、一方向または他方向に流体を供給し受け入れるためのそれぞれのパイプラインを接続することが可能であり、２つのステーションの一方は、固定ステーションであり、他方は、可動ステーションであり得る。
【０００３】
また、公知の接続モジュールの構成に、緊急切断デバイスを設けることも公知となっており、この緊急切断デバイスにより、ドリフトや事故の極限状態、例えば、火災時に、可動パイプ部分を固定パイプ部分から距離を置いて配置することにより、パイプラインに流体を封じ込めたまま、接続モジュールにダメージを与えないようにしたり、パイプがこじ開けられたりしないようにすることができる。
【０００４】
公知のモジュール構成において、２つのパイプ部分のディスクのピボット軸は、パイプ部分が接続されると、パイプ部分の軸方向に互いに間隔を置いて設けられているため、開位置と閉位置との間での旋回運動を実行することができる。
公知のモジュール構成には、ディスクが閉位置にあるとき、ディスクの間に、流体が充填される比較的大きな空間を形成するという欠点がある。緊急切断の際に、ディスク間の空間内に充填されていた流体が、周辺環境へ流出してしまう。
【０００５】
このような流体が流出してしまう事態は、移送する流体が人と環境に危険なものや、火災の危険を伴うものである場合、非常に深刻である。これは、特に、例えば、積み込みまたは積み下ろしターミナルと液化ガスタンカとの間で液化天然ガス（ＬＮＧ）を移送する場合である。
【０００６】
【特許文献１】フランス特許第２５８０３６７号明細書
【発明の開示】
【発明が解決しようとする課題】
【０００７】
本発明の目的は、上述したタイプのもので、前述した主要な欠点がない接続および切断モジュールを提案することである。
【課題を解決するための手段】
【０００８】
この目的を達成するために、本発明による接続および切断モジュールは、ディスクのピボット軸が、パイプ部分の軸に対して中心からずらされて配設されることにより、パイプ部分がパイプ接続状態にあるとき、閉位置にあるディスク間に画定された空間を低減することを特徴とする。
【０００９】
本発明の１つの特徴によれば、ピボット軸は、パイプ部分の軸に対して垂直方向に、この軸に対して対称的にずらされることを特徴とする。
【００１０】
本発明のもう１つの特徴によれば、前述した２つのディスク間の空間は、閉位置にあるとき、ゼロであることを特徴とする。
【００１１】
本発明のさらなる別の特徴によれば、前述した２つのディスクは、開位置にあるとき互いに接触することにより、運動学的な遊びをなくし、したがって、流体フローの不安定性により誘発される可能性があるディスクの振動や揺れを防止することを特徴とする。
【００１２】
本発明のさらなる別の特徴によれば、ディスクのピボット軸は、ディスクが旋回可能に取り付けられるパイプ部分の流体フロー断面の外側に配設されることを特徴とする。
【００１３】
本発明のさらなる別の特徴によれば、ディスクの周囲にタブが取り付けられ、ピボット軸が、タブの自由端に配設されることを特徴とする。
【００１４】
本発明のさらなる別の特徴によれば、旋回できるように、ディスクに、関節式アームを有するデバイスが関連付けられ、アームの一方の自由端は、ディスクに対して関節式に連結されるのに対して、他方のアームの自由端は、パイプ部分の壁に対して関節式に連結されることを特徴とする。
【００１５】
以下、図面を参照しながら本発明の実施形態について説明する。
【発明を実施するための最良の形態】
【００１６】
図１から図４は、２つのステーション間で液化天然ガスなどの流体を移送するためのシステムの、接続されるパイプラインの２つの端部分を接続および切断するためのモジュールのひとつの形態を示す。
ステーションの一方は、液化ガスタンカであり、他方は、積み込みまたは積み下ろしターミナルであり得る。
【００１７】
図面では、接続および切断モジュールを符号１で示し、上述した２つのステーションのパイプラインの端部でそれぞれ取り付けられた２つのパイプ部分２、３を含む接続および切断モジュールの構成のみを示す。
各パイプ部分２，３は、ちょう形弁の形態で製造され、パイプ部分２，３内に取り付けられる円形ディスク５、６を有し、その結果として、流体フロー断面は円形である。
【００１８】
各ディスク５および６は、パイプ部分２、３の内部で旋回するように取り付けられ、図１および図２に示す流体フロー断面を閉じる位置と、図３に示す流体フロー断面を開く位置との間にある軸Ｘ、Ｘ’の周りで旋回するように構成される。
【００１９】
各パイプ部分２、３または弁は、概して円筒状の形状を呈しており、他方のパイプ部分２、３に隣接した端部に、パイプ部分２、３の平坦な前面９に環状カラー８が設けられる。
２つのパイプ部分２、３が軸方向に配列されてリング１２により接続状態にあるときが図２および図３の略図的に示されている。
緊急切断デバイスの相補形のＶ字状の溝に係合されるようにされた外部切頭円錐輪郭１０とアセンブリをなすように、２つのカラーの外周面が構成される。この緊急切断デバイスは公知のものであり、特許文献１に記載されているのでさらに詳細な説明をしない。
【００２０】
本実施形態を理解するためには、例えば、パイプ部分２，３の接続時、図２に示すような接続位置に２つのパイプ部分２，３を動かないようにするとともに、緊急切断時、図４の矢印で示すように分離されて、２つのパイプ部分２，３のカラー８を解除することにより、図４にも示すように分離できるようにする２つのリング部分１３、１４からリング１２が構成されることが示されていれば十分である。
【００２１】
２つのリング部分１３、１４は、パイプ部分３に接続されたままであることに留意されたい。
切断デバイスに関するさらなる詳細に関しては、特許文献１を参照されたい。
また、この緊急切断デバイスは、２つのリング部分１３および１４を組み立てるための２つの円形要素１５および１６しか図１に示されていないことにも留意されたい。
【００２２】
本実施形態の本質的な特徴によれば、閉位置にある各ディスク５、６の外部前面１８が、パイプ部分２，３のカラー８の平坦な外周面９と整列されるため、２つの表面１８は、２つのパイプ部分２および３の接続時、互いに接触した状態にある。
【００２３】
ディスク５および６が閉位置から図３に示す開位置に旋回できることは、それらのピボット軸の適切な構成により達成される。
【００２４】
本実施形態の別の重要な特徴によれば、２つのディスク５および６は、開位置においても互いに接触する。
この構成により、運動学的な遊びを阻止することができ、流体フローの不安定性により誘発される可能性があるディスクの振動や揺れを防止できる。
【００２５】
２つの特徴を作るために、ディスク５の軸Ｘとディスク６の軸Ｘ’は、一方では、パイプ部分２，３の軸Ｙ−Ｙの方向に互いからずらされ、他方では、この軸Ｙ−Ｙに対して対称的に中心からずらされる。
この差は、両方の場合においてほぼ同じである。
このようにして、２つのディスク５および６は、閉位置において互いに接触状態にあり、図３に示す開位置に達するように、両方がそれらの軸の周りを同期して旋回でき、この開位置において、２つのディスク５および６は、これらの表面の一部分で接触した状態のまま、パイプ部分２，３の軸Ｙ−Ｙに対して平行な方向に配向される。
したがって、各ディスク５および６は、４分の１回転の旋回運動を行う。
【００２６】
各ディスク５および６のピボット軸は、軸方向に配列されたシャフト２１およびシャフトスタブ２２を動作させることにより具体化される。
シャフト２１は、ディスク５および６の外周付近の高い位置に、ディスク５および６の背面から突出する固定タブ２３に回転可能に固定して接続され、さらにパイプ部分２，３の外部管状端部２４に回転可能に取り付けられる。
このシャフトの自由外端部２５は、回転可能なように構成される。
シャフト端部２２は、パイプ部分２，３の本体の符号２７で示す一端部に設置され、端部２８は、ディスクの背面上に外周付近の下方に設けられたタブ３０に自由に回転できるように受け入れられる。
【００２７】
パイプ部分２および３が、平坦な前面９上に、適切な環状レセスに配設された環状ガスケット３２を保持することに留意されたい。
このガスケット３２は、金属製、プラスチック製、または複合材料から作られる。
【００２８】
図１から図３は、緊急切断デバイスのリング１２のＶ字状溝にある切頭円錐外周面にカラー８が係合することにより接続状態にあるモジュール１を表す。
図４は、緊急切断後の２つのパイプ部分２および３を示す。
上記に示すように、２つのパイプ部分２および３の切断は、リング１２を開くことにより、すなわち、２つのリング部分１３および１４を外向きに半径方向の運動をすることにより生じる。
【００２９】
図５から図７は、本発明に係る接続および切断モジュール１の他の実施形態を示す。
本実施形態において、ディスク５および６のピボット軸は、パイプ部分２および３の流体フロー断面の外側に位置する。
このため、外部方向に延在するタブ３４が、ディスク５および６の外周の背面上に設けられる。
このタブ３４の他方の自由端部には、ディスク５および６のピボット軸を構成する軸３６が設置される。
【００３０】
各ディスク５および６の動作は、２つの関節式アームによって行われる。
すなわち、符号４２で示す関節式の軸によって、ディスク５および６の背面上に関節式に連結された第１のアーム４１と、符号４４で示す軸によって、パイプ部分２および３の本体に関節式に連結された第２のアーム４３によって行われる。
符号４５は、第１のアーム４１と第２のアーム４３とを互いに関節式に連結する軸である。
アーム４１，４３の関節の軸４５は、ディスク５および６のピボット軸３６に対して平行に配設されることは言うまでもない。
図６に示すように、ディスクおよび６を開位置に向けて旋回をする間、２つのアーム４１，４３は折り畳むことができる。そのために、パイプ部分２，３には、２つのアーム４１，４３を互いに折り畳んで収容できる横方向の隆起部４７が設けられる。
【００３１】
ディスク５および６の開閉動作を行うために、各セクションには、動作シャフトを通すための管状端部分４９が設けられ、管状端部分４９から外部に露出した動作シャフトの制御端部を符号５０で示す。
動作シャフトは、背面上の関節の軸４４を中心に第２のアーム４３を回転操作する。
【００３２】
ディスク５および６の閉位置において、関節式の２つのアーム４１および４３が直線的に配列されることで、ディスク５および６にかかる応力を軽減し、２つのアーム４１および４３が閉位置をロックする支柱（支承部材）となることにも留意されたい。
【００３３】
図５から図７に示す本発明に係る接続および切断モジュール１の他の実施形態は既述した実施の形態と同様に、パイプ部分２，３の流体フローの断面が完全に自由であることにより、ガスまたは液体により押されて、パイプラインを移動するプランジャ要素を用いてパイプラインのスクレーピングが可能となり、可動パイプラインに保持された流体を空にすることができるという利点がある。
【００３４】
本発明にあっては、閉位置にあるとき、２つのディスク５，６間に形成される空間が実質的にゼロになるため、緊急切断時において、図５に示すディスク５，６の閉鎖後、周辺環境に流出する流体がないという既述した先の実施形態と共通した利点がある。その結果、環境を汚染する危険性がなくなる。
したがって、本発明に係る接続および切断モジュール１は、環境に有害な流体、例えば、液化天然ガスなどの移送に特に適している。
本発明の別の利点は、接続および切断モジュール１が軽量なことである。
本発明のさらなる利点は、開位置にあるディスク５，６が折畳まれたアーム４１，４３により不動状態に支持されるため、流体フローの不安定性により誘発される可能性のあるディスク５，６の振動や揺れが防止されることである。
なお、図３に示した実施形態の場合、開位置においてディスク５，６は互いにパイプ部分２，３の軸Ｙ−Ｙに対して平行で、かつ互いの対向面が平らになっている。
図６，７に示した実施形態の場合、開位置においてディスク５，６は、互いにパイプ部分２，３の軸Ｙ−Ｙに対して平行で、かつパイプ部分２，３の隣り合う隆起部４７のゾーンでパイプ内周面から突出することなく平らになっている。
【００３５】
上述した実施形態に多数の修正がなされてよいことは言うまでもない。
したがって、図５〜７に示した実施形態において、ディスク５，６の関節の軸を正反対に配置することもできる。
【図面の簡単な説明】
【００３６】
【図１】略図的に示され、図２の線Ｉ−Ｉに沿って切り取られた接続および切断モジュールの軸断面図である。
【図２】図１の線ＩＩ−ＩＩの方向に切り取った図１によるモジュールの断面図であり、ディスクが閉位置にある構成を示す。
【図３】図２に類似した図であり、開位置のディスクを示す。
【図４】緊急切断後の図２によるモジュールの図である。
【図５】本発明に係る接続および切断モジュールの軸断面図であり、閉位置にあるディスクを示す。
【図６】図５に類似した図であり、開位置にあるディスクを示す。
【図７】図６の線ＶＩＩ−ＶＩＩに沿って切り取った断面図である。
【符号の説明】
【００３７】
１  接続および切断モジュール
２、３  パイプ部分
５、６  ディスク
８  カラー
９  外周面
１０  外部切頭円錐輪郭
１２  リング
１３、１４  リング部分
１５、１６  円形要素
１８  外部前面
２１  シャフト
２２  シャフトスタブ
２３  固定タブ
２４  外部管状端部
２５  自由外端部
２８  端部
３０  タブ
３２  環状ガスケット
３４  タブ
３６  ピボット軸
４１  第１のアーム
４３  第２のアーム
４４  関節
４７  隆起部
４９  管状端部分
５０  制御端部
Ｘ、Ｘ’、Ｙ  軸
【図１】
2009074697.tif 000003
【図２】
2009074697.tif 000004
【図３】
2009074697.tif 000005
【図４】
2009074697.tif 000006
【図５】
2009074697.tif 000007
【図６】
2009074697.tif 000008
【図７】
2009074697.tif 000009